(57)【要約】【課題】新郎新婦，結婚式・披露宴出席予定者や結婚式・披露宴に出席しない知人等のゲスト及び二次会幹事等のそれぞれが主体となって、双方向に情報発信できる結婚式サービスシステムを提供する。【解決手段】サーバ装置２０，利用登録管理者端末３０，第１の利用者端末４０，第２の利用者端末５０及び第３の利用者端末６０は、インターネットに接続され、サーバ装置２０には、利用者認証情報１１１（図示省略），利用者端末４０乃至６０から情報を入力するために必要なテンプレートが予め登録部１０１に登録され、各利用者端末からのアクセスがあった場合、各利用者端末から送信された利用者認証情報を、利用者認証情報１１１（図示省略）と比較し、合致する場合は、利用者端末ごとに設けられたテンプレートの利用を許可し、各利用者端末に関連づけられたテンプレートを送信する。【選択図】図１
2014010525.tif 000002
【特許請求の範囲】
【請求項１】
インターネットを利用した結婚式サービスシステムであって、
前記インターネットに接続されたサーバ装置と、
システム管理者等の利用登録管理者が利用し、前記インターネットに接続された利用登録管理者端末と、
新郎新婦の各々又は両方が利用する、前記インターネットに接続された第１の利用者端末と、
結婚式・披露宴出席予定者や結婚式・披露宴に出席しない知人等のゲストが利用し、前記インターネットに接続された第２の利用者端末と、
二次会幹事が利用し、前記インターネットに接続された第３の利用者端末とを備え、
前記サーバ装置は、
前記利用登録管理者端末から送信された情報に基づいて、前記第１の利用者端末乃至第３の利用者端末の利用者認証情報を登録する第１登録手段と、
前記第１の利用者端末乃至第３の利用者端末ごとに、前記第１の利用者端末乃至第３の利用者端末から情報を入力するために必要なテンプレートを予め登録しておく第２登録手段と、
前記第１の利用者端末乃至第３の利用者端末からのアクセスがあった場合に、前記第１の利用者端末乃至第３の利用者端末から送信された利用者の情報を、予め登録されている前記利用者認証情報と比較し、利用者の情報が合致しているかどうかを判断する第１利用者照合手段と、
前記第１利用者照合手段によって、前記第１の利用者端末乃至第３の利用者端末の何れかからアクセスがあったと判断された場合に、前記第２登録手段によって登録されたテンプレートの中から、前記第１利用者照合手段によって特定された利用者端末に関連付けられたテンプレートの利用を許可し、該利用者端末からの入力情報を受信し、該情報を登録し、前記登録された入力情報を前記利用者端末に送信する第１情報送受信手段とを備え、
前記利用登録管理者端末は、
前記サーバ装置から、前記第１の利用者端末乃至第３の利用者端末の利用者認証情報を入力するテンプレートを受信する第１受信手段と、
前記第１の利用者端末乃至第３の利用者端末情報入力テンプレートを表示して情報の入力を受け付ける第１情報入力手段と、
前記サーバ装置に対して、前記入力された情報を前記インターネット経由で送信する第２情報送信手段と、
前記入力された情報を表示する第１情報表示手段とを備え、
前記第１の利用者端末乃至第３の利用者端末は、
前記サーバ装置から前記インターネット経由で送信されたテンプレートを受信する第２受信手段と、
前記テンプレートを表示して情報の入力を受け付ける第２情報入力手段と、
前記サーバ装置に対して、前記入力された情報を前記インターネット経由で送信する第３情報送信手段とを備え、
前記第１の利用者端末におけるテンプレートは、式場紹介，新郎新婦のプロフィール情報，ブログ，画像及び動画情報の記載事項テンプレートであり、
前記第２の利用者端末におけるテンプレートは、前記ブログ，画像及び動画情報の記載事項テンプレートであり、
前記第３の利用者端末におけるテンプレートは、二次会の会場案内の記載事項テンプレート，二次会出席者及び欠席者情報と二次会出欠の集計情報が記載されたテンプレートであることを特徴とする結婚式サービスシステム。
【請求項２】
前記第１の利用者端末は、前記第２の利用者端末から送信されるテンプレート記載事項のうち、画像，動画及びブログ記事を、表示する前に事前確認を行い、公開するのに適しているもののみを表示する、チェック機能を有することを特徴とする請求項１に記載の結婚式サービスシステム。
【請求項３】
式場内を撮影するカメラ装置と、
前記カメラ装置に接続され、撮影された映像データを前記サーバ装置にインターネット経由で送信するための配信機とを備え、
前記サーバ装置は、インターネット経由で前記映像データを受信し、利用者認証がされた第２の利用者端末に対して、端末からのアクセスに応じて、前記映像データをストリーミング配信することを特徴とする請求項１又は請求項２に記載の結婚式サービスシステム。
【請求項４】
前記第２の利用者端末は、写真や動画に加工処理を施す画像又は／及び動画処理アプリケーションを備えていることを特徴とする請求項２に記載の結婚式サービスシステム。
【発明の詳細な説明】
【技術分野】
【０００１】
本発明は、新郎新婦，結婚式・披露宴出席予定者，結婚式・披露宴に出席しない知人等及び二次会幹事との間をインターネット上のソーシャルネットワーキングサービスを通じて情報の閲覧及び交換をする結婚式サービスシステムに関する。
【背景技術】
【０００２】
従来においては、結婚式の招待状を発送後は、当日まで、新郎新婦と結婚式・披露宴出席予定者が連絡をとることは少なく、二次会の幹事は、個別に、電話，ＦＡＸ等で連絡を取る必要があった。そのため、知りたいと思う必要最低限の情報のやり取りに限られ、当日まで、詳細が分からないという問題があった。
【０００３】
また、招待客同士の交流は、通常、当日のみであった。
【０００４】
さらに、当日、結婚式・披露宴に出席できなかった人は、式当日の様子を知るためには、後日、新郎新婦と連絡を取り、写真やビデオを見せてもらうしかなかった。
【０００５】
この問題点を解決する技術として、特許文献１に開示された技術が知られている。特許文献１に開示された技術は、結婚式サービス業務を営む組織が公開するサイトに設けられた結婚式サービスホームページに、指定手段を行った閲覧者及び特定閲覧者に対してのみアクセスを許可し、関係者のみがホームページの閲覧をすることができ、式当日までに結婚式に関する様々な情報を交換することができるというものである。
【０００６】
また、式当日の様子は、リアルタイムもしくは録画映像の表示を行い、新郎新婦の知人等が、実際には結婚式場に赴かなくても、ホームページで閲覧することができるというものである。（特許文献１を参照。）
【先行技術文献】
【特許文献】
【０００７】
【特許文献１】特開２００１−３３８２０８号公報
【発明の概要】
【発明が解決しようとする課題】
【０００８】
しかしながら、従来の結婚式サービスシステムでは、新郎新婦の紹介，式場案内等の情報を掲載し、掲示板等にお祝いメッセージ等が書き込めるようにはなっているが、情報の発信は、実質、新郎新婦等のサイト管理者側が主体となり、一方向からのみ発信していた。
【０００９】
また、掲示板等の機能は、結婚式、披露宴、二次会の出席の有無に関する連絡手段としては利用できるが、結婚式準備段階での日々の情報の発信や、当日までの、新郎新婦の友人、知人同士が気軽に交流でき、参加し、楽しむことはできなかった。
【００１０】
そこで、本発明が解決しようとする課題は、新郎新婦，結婚式・披露宴出席予定者，結婚式・披露宴に出席しない知人等及び二次会幹事のそれぞれが主体となって、双方向に情報発信できる結婚式サービスシステムを提供することである。
【課題を解決するための手段】
【００１１】
この発明は、前記課題を解決するためになされたもので、請求項１に記載の結婚式サービスシステムは、インターネットに接続されたサーバ装置と、システム管理者等の利用登録管理者が利用し、前記インターネットに接続された利用登録管理者端末と、新郎新婦の各々又は両方が利用する、前記インターネットに接続された第１の利用者端末と、結婚式・披露宴出席予定者や結婚式・披露宴に出席しない知人等のゲストが利用し、前記インターネットに接続された第２の利用者端末と、二次会幹事が利用し、前記インターネットに接続された第３の利用者端末とを備え、前記サーバ装置は、前記利用登録管理者端末から送信された情報に基づいて、前記第１の利用者端末乃至第３の利用者端末の利用者認証情報を登録する第１登録手段と、前記第１の利用者端末乃至第３の利用者端末ごとに、前記第１の利用者端末乃至第３の利用者端末から情報を入力するために必要なテンプレートを予め登録しておく第２登録手段と、前記第１の利用者端末乃至第３の利用者端末からのアクセスがあった場合に、前記第１の利用者端末乃至第３の利用者端末から送信された利用者の情報を、予め登録されている前記利用者認証情報と比較し、利用者の情報が合致しているかどうかを判断する第１利用者照合手段と、前記第１利用者照合手段によって、前記第１の利用者端末乃至第３の利用者端末の何れかからアクセスがあったと判断された場合に、前記第２登録手段によって登録されたテンプレートの中から、前記第１利用者照合手段によって特定された利用者端末に関連付けられたテンプレートの利用を許可し、該利用者端末からの入力情報を受信し、該情報を登録し、前記登録された入力情報を前記利用者端末に送信する第１情報送受信手段とを備え、前記利用登録管理者端末は、前記サーバ装置から、前記第１の利用者端末乃至第３の利用者端末の利用者認証情報を入力するテンプレートを受信する第１受信手段と、前記第１の利用者端末乃至第３の利用者端末情報入力テンプレートを表示して情報の入力を受け付ける第１情報入力手段と、前記サーバ装置に対して、前記入力された情報を前記インターネット経由で送信する第２情報送信手段と、前記入力された情報を表示する第１情報表示手段とを備え、前記第１の利用者端末乃至第３の利用者端末は、前記サーバ装置から前記インターネット経由で送信されたテンプレートを受信する第２受信手段と、前記テンプレートを表示して情報の入力を受け付ける第２情報入力手段と、前記サーバ装置に対して、前記入力された情報を前記インターネット経由で送信する第３情報送信手段とを備え、前記第１の利用者端末におけるテンプレートは、式場紹介，新郎新婦のプロフィール情報，ブログ，画像及び動画情報の記載事項テンプレートであり、前記第２の利用者端末におけるテンプレートは、前記ブログ，画像及び動画情報の記載事項テンプレートであり、前記第３の利用者端末におけるテンプレートは、二次会の会場案内の記載事項テンプレート，二次会出席者及び欠席者情報と二次会出欠の集計情報が記載されたテンプレートであることを特徴としている。
【００１２】
請求項１に記載の結婚式サービスシステムによれば、従来は、新郎新婦と結婚式サービス業務を営む組織とが主体となって、ホームページにおいて、一方向からのみ情報を発信していたが、第１の利用者端末乃至第３の利用者端末は、サーバ装置にアクセスし、利用登録管理者端末から割り振られた利用者認証情報を入力し、第１利用者照合手段を経たのち、サーバ装置から各利用者端末に関連づけられたテンプレートを受信する構成としたことで、第１の利用者端末及び第２の利用者端末は、ブログ，画像及び動画情報等の記載事項テンプレートへの情報の入力を行うことができ、第３の利用者端末は、二次会の案内情報の入力や、二次会出席者及び欠席者の情報の確認ができるだけでなく、二次会出欠の集計機能を有しているため、容易に集計情報を得ることができる。
【００１３】
そのため、個別に行っていた電話等での連絡調整といった作業の手間を省きながらも、式当日までの細かな情報の交換や、新郎新婦，新郎新婦の友人及び知人同士がウェブサイト上での交流を図ることができ、新郎新婦，結婚式・披露宴出席予定者，結婚式・披露宴に出席しない知人等のゲスト及び二次会幹事等のそれぞれが主体となって、双方向に情報を発信することができる。
【００１４】
請求項２に記載の結婚式サービスシステムは、第１の利用者端末が、第２の利用者端末から送信されるウェブページの記載事項のうち、画像，動画及びブログ記事を、表示する前に事前確認を行い、公開するのに適しているもののみを表示する、チェック機能を有することを特徴としている。
【００１５】
請求項２に記載の結婚式サービスシステムによれば、第１の利用者端末にチェック機能を設けたことにより、第２の利用者端末から送信されるウェブページの記載事項のうち、画像，動画及びブログ記事について、内容を確認でき、不適切な発言や画像，動画については削除するなど、ウェブサイトの管理を行うことができる。
【００１６】
請求項３に記載の結婚式サービスシステムは、式場内を撮影するカメラ装置と、カメラ装置に接続され、撮影された映像データをサーバ装置にインターネット経由で送信するための配信機とを備え、サーバ装置は、インターネット経由で映像データを受信し、利用者認証がされた第２の利用者端末に対して、端末からのアクセスに応じて、映像データをストリーミング配信することを特徴としている。
【００１７】
請求項３に記載の結婚式サービスシステムによれば、配信機を備えたことにより、パーソナルコンピュータ等の映像表示に関する種々の機器設備等を用いなくても、カメラ装置と配信機を接続するだけで、容易に映像データをリアルタイムでストリーミング配信できる。
【００１８】
また、請求項３に記載の結婚式サービスシステムによれば、撮影された映像は、結婚式・披露宴に出席できなかった知人等が、実際には結婚式場に赴かなくても、第２の利用者端末からサーバ装置にアクセスすることで、閲覧でき、恰も参列したかのような気分を味わうことができる。
【００１９】
請求項４に記載の結婚式サービスシステムは、請求項１又は請求項２において、第２の利用者端末は、写真や動画に加工処理を施す画像又は／及び動画処理アプリケーションを備えていることを特徴としている。
【００２０】
請求項４に記載の結婚式サービスシステムによれば、請求項１又は請求項２の効果に加えて、第２の利用者端末は、画像又は／及び動画処理アプリケーションである、プリントクラブ（株式会社インデックス社登録商標）を備えたことにより、画像又は／及び動画に、自由に加工処理を施すことができ、オリジナルの画像又は／及び動画を作成することができる。
【発明の効果】
【００２１】
この発明によれば、新郎新婦，結婚式・披露宴出席予定者，結婚式・披露宴に出席しない知人等及び二次会幹事のそれぞれが主体となって、双方向に情報発信できる結婚式サービスシステムを提供することができる。
【図面の簡単な説明】
【００２２】
【図１】本発明の一実施形態に係る結婚式サービスシステムの全体構成を示すブロック図である。
【図２】本発明を適用したサーバ装置，利用登録管理者端末，各種利用者端末の電気的な構成を示すブロック図である。
【図３】本発明の一実施形態に係る結婚式サービスシステムの利用者の新規利用登録の情報処理の流れを示すシーケンシャル図である。
【図４】本発明の一実施形態に係る結婚式サービスシステムのサーバ装置と各種利用者端末の情報処理の流れを示すシーケンシャル図である。
【図５】新郎新婦用の利用者端末の専用画面を示す図である。
【図６】新郎新婦用の利用者端末のチェック機能の処理の流れ示すシーケンシャル図である。
【図７】結婚式・披露宴出席予定者，結婚式・披露宴に出席しない知人等のゲスト用の利用者端末の専用画面を示す図である。
【図８】ライブ配信システム及び画像・動画処理の説明に供する図である。
【図９】二次会幹事用の利用者端末の専用画面を示す図である。
【図１０】ライブ配信システムの説明に供する図である。
【図１１】ウェブサイト掲載内容が記録されたＣＤ−Ｒ等の記録媒体，本，アルバム等の配布サービスの説明に供する図である。
【発明を実施するための形態】
【００２３】
以下、本発明を適用した具体的な実施の形態について、図面を参照しながら詳細に説明する。
【００２４】
図１は、この発明の一実施形態に係る結婚式サービスシステム１の全体構成を示すブロック図である。この結婚式サービスシステム１は、例えば、結婚式当日又はその前後一定期間に、新郎新婦，結婚式・披露宴出席予定者，結婚式・披露宴に出席しない知人等及び二次会幹事等のそれぞれが主体となって、ソーシャルネットワーキングサービスを通じて双方向に情報発信が行えるようにしたシステムである。
【００２５】
結婚式サービスシステム１は、サーバ装置２０と、システム管理者等の利用登録管理者が利用する利用登録管理者端末３０と、新郎新婦の各々又は両方が利用する利用者端末４０（特許請求の範囲における第１の利用者端末に対応している。）と、結婚式・披露宴出席予定者や結婚式・披露宴に出席しない知人等のゲストが利用する利用者端末５０（特許請求の範囲における第２の利用者端末に対応している。）と、二次会幹事が利用する利用者端末６０（特許請求の範囲における第３の利用者端末に対応している。）とライブ配信システム７０とからなり、各々がインターネットを介して、双方向に通信可能に接続されている。
【００２６】
図２は、サーバ装置２０，利用登録管理者端末３０，利用者端末４０，利用者端末５０及び利用者端末６０の電気的な構成を示すブロック図である。図２に示すように、サーバ装置２０乃至利用者端末６０は、ＣＰＵ２１０，３１０，４１０，５１０，６１０と、ＲＯＭ２１１，３１１，４１１，５１１，６１１と、ＲＡＭ２１２，３１２，４１２，５１２，６１２と、入力装置２１３，３１３，４１３，５１３，６１３と、表示装置２１４，３１４，４１４，５１４，６１４と、記憶装置２１５，３１５，４１５，５１５，６１５と、通信制御装置２１８，３１８，４１８，５１８，６１８とが備えられており、これらはバス２１６，３１６，４１６，５１６，６１６で互いに接続されている。
【００２７】
前記の情報端末としては、例えば、パーソナルコンピュータ，携帯電話（例えばｉＰｈｏｎｅ、アップル  インコーポレイテッド社登録商標），タブレット（例えばｉＰａｄ等アップル  インコーポレイテッド社登録商標）の情報端末が挙げられるが、個々の端末の詳細については省略する。
【００２８】
サーバ装置２０は、大規模な処理を行うことのできるコンピュータであって、図３及び図４に示すように、利用登録管理者端末３０から送信された情報に基づいて、先ず、利用者端末４０，利用者端末５０及び利用者端末６０の利用者認証情報１１１（図示省略）は登録部１００（特許請求の範囲における第１登録手段に対応している。）によって登録される。
【００２９】
そして、利用者端末４０，利用者端末５０及び利用者端末６０ごとに、利用者端末４０，利用者端末５０及び利用者端末６０から情報を入力するために必要なテンプレートが、予め登録部１０１（特許請求の範囲における第２登録手段に対応している。）によって登録される。
【００３０】
また、利用者端末４０，利用者端末５０及び利用者端末６０からのアクセスがあった場合に、利用者端末４０，利用者端末５０及び利用者端末６０から送信された利用者の情報を、サーバ装置２０に予め登録されている利用者認証情報１１１（図示省略）と比較し、利用者の情報が合致しているかどうかの照合が利用者照合部１０２（特許請求の範囲における第１利用者照合手段に対応している。）によって行われる。
【００３１】
さらに、利用者照合部１０２によって、利用者端末４０，利用者端末５０及び利用者端末６０の何れかからアクセスがあったと判断された場合に、登録部１０１によって登録されたテンプレートの中から、利用者照合部１０２によって特定された利用者端末に関連付けられたテンプレートの利用を許可し、利用者端末からの入力情報を受信し、情報を登録し、登録された入力情報を利用者端末に送信する情報送信部１０３（特許請求の範囲における第１情報送受信手段に対応している。）が設けられている。
【００３２】
利用登録管理者端末３０は、管理会社に設置されているか、或いは、管理会社の担当者が所持している、管理会社が使用するパーソナルコンピュータや携帯電話機等の情報端末であって、サーバ装置２０から、利用者端末４０乃至利用者端末６０の利用者認証情報１１１（図示省略）を入力するテンプレートを受信する受信部１０４（特許請求の範囲における第１受信手段に対応している。）と、利用者端末４０乃至利用者端末６０の情報入力テンプレートを表示して情報の入力を受け付ける情報入力部１０５（特許請求の範囲における第１情報入力手段に対応している。）と、サーバ装置２０に対して、入力された情報をインターネット経由で送信する情報送信部１０６（特許請求の範囲における第２情報送信手段に対応している。）と、入力された情報を表示する情報表示部１０７（特許請求の範囲における第１情報表示手段に対応している。）が設けられている。
【００３３】
利用者端末４０，利用者端末５０及び利用者端末６０は、例えば各顧客の家庭に設置されているか、或いは、顧客自身が所持している、各顧客が使用するパーソナルコンピュータや携帯電話機等の情報端末であって、サーバ装置からインターネット経由で送信されたテンプレートを受信する受信部１０８（特許請求の範囲における第２受信手段に対応している。）と、テンプレートを表示して情報の入力を受け付ける情報入力部１０９（特許請求の範囲における第２情報入力手段に対応している。）と、サーバ装置に対して、入力された情報をインターネット経由で送信する情報送信部１１０（特許請求の範囲における第３情報送信手段に対応している。）が設けられている。また、各端末から送信されたテンプレートの内容は、利用者端末４０乃至利用者端末６０から閲覧することができる。
【００３４】
利用者端末４０は、図５に示すように、式場紹介，新郎新婦プロフィール，ブログ，画像一覧，動画一覧，Ｌｉｖｅ情報の記載事項テンプレートを利用でき、図６に示すように、利用者端末５０から送信され、サーバ装置２０に仮登録された、ブログ，画像一覧，動画一覧情報の記載事項テンプレートが、公開するのに適している場合は、サーバ装置２０に送信し、適していない場合は削除できるチェック機能を有する。
【００３５】
利用者端末５０は、図７に示すように、ブログ，画像一覧，動画一覧，Ｌｉｖｅ情報の記載事項テンプレートを利用でき、図８に示すように、写真や動画に加工処理を施す画像又は／及び動画処理アプリケーション８０を備え、オリジナルの画像又は／及び動画を作成することができる。画像又は／及び動画処理アプリケーション８０は、この実施形態では、プリントクラブ（株式会社インデックス社登録商標）を使用している。
【００３６】
ここで、Ｌｉｖｅ情報の記載事項テンプレートは、結婚式・披露宴に出席できなかった知人等が、実際には結婚式場に赴かなくても、利用者端末５０からサーバ装置２０にアクセスすることで、閲覧できるようにするための、式場内を撮影した映像情報の記載事項テンプレートである。
【００３７】
利用者端末６０は、図９に示すように、二次会の会場案内の記載事項テンプレート，二次会出席者及び欠席者情報と二次会出欠の集計情報の記載事項テンプレートを利用できる。
【００３８】
次に、図８及び図１０を参照して、結婚式サービスシステム１における、配信機を用いた映像データのライブ配信システム７０の構成の概略について説明する。このライブ配信システム７０は、結婚式・披露宴に出席できなかった知人等が、実際には結婚式場に赴かなくても、利用者端末５０からサーバ装置２０にアクセスすることで、閲覧できるようにするために設けられており、式場内を撮影するための、カメラ装置７１０と、撮影された映像データをサーバ装置２０にインターネット経由で送信する配信機７１１と、カメラ装置７１０と配信機７１１とを接続するためのＨＤＭＩケーブル７１２と、配信機７１１から送信された映像データを保存するサーバ装置２０とを主要部として備えている。
【００３９】
カメラ装置７１０は、市販のビデオカメラ等であればよい。カメラ装置７１０及び配信機７１１は、後述するＨＤＭＩケーブル７１２の接続端子を有し、互いに接続できるようになっている。
【００４０】
配信機７１１は、従来のパーソナルコンピュータ等の映像表示に関する種々の機器設備等に代わる小型の機器であり、この実施形態では、株式会社ＣｅｒｅｖｏのＬｉｖｅＳｈｅｌｌを使用しており、動画エンコード機能やインターネット接続機能、電池（ＡＣアダプターも使用可）などを内蔵している。
【００４１】
ＨＤＭＩケーブル７１２は、カメラ装置７１０と配信機７１１とを接続し、カメラ装置７１０からの音声及び映像等のデジタル信号を配信機７１１へと伝送する。なお、カメラ装置７１０と配信機７１１とは、必ずしも有線で接続される必要は無く、例えばＷｉＦｉ（ワイ−ファイ・アライアンスの登録商標）等の無線で接続されてもよい。
【００４２】
サーバ装置２０は、配信機７１１から送信された映像データを一時的に保存し、保存された映像データに基づいてストリーミング配信を利用したインターネット放送によって配信する。
【００４３】
続いて、前述した構成の結婚式サービスシステム１の動作について、図３乃至図１１を用いて、詳細に説明する。先ず、利用登録管理者の行う、利用者の新規登録手順について説明する。
【００４４】
利用登録管理者は、インターネット等のネットワークへ接続が行える利用登録管理者端末３０のコンピュータ画面上でインターネットブラウザを開き、利用登録管理者専用画面（図示省略）のＵＲＬを入力して（予めＵＲＬが入力されている場合には、そのＵＲＬの項目を選択して）接続初期画面を表示させる。利用登録管理者は、この接続初期画面上で、システムへのログインをして利用登録管理者の認証を実行する。利用登録管理者であることが認証されると、利用登録管理者端末３０のコンピュータ画面上に、利用登録管理者専用画面（図示省略）が表示される。
【００４５】
そして、利用登録管理者は、利用登録管理者専用画面（図示省略）に表示されるメニューバーの中から、初回設定の項目を選択する。そして、利用登録管理者は、利用者端末４０乃至利用者端末６０の利用者認証情報１１１（図示省略）を登録するための、利用者認証情報入力テンプレートを利用登録管理者専用画面（図示省略）に表示させ、ＵＲＬ，氏名，ログインＩＤ，パスワード等の利用者認証情報１１１（図示省略）を入力し、サーバ装置２０に送信する。送信された利用者認証情報１１１（図示省略）は、サーバ装置２０に登録される。
【００４６】
利用者認証情報１１１（図示省略）がサーバ装置２０に登録された後、利用登録管理者は、新郎新婦に対してサーバ装置２０へアクセスするためのログインＩＤとパスワードの一覧表を書面及びメール等の通信手段によって通知する。結婚式・披露宴出席予定者や結婚式・披露宴に出席しない知人等のゲスト及び二次会幹事には、サーバ装置２０へアクセスするためのログインＩＤとパスワードが、新郎新婦から、招待状等の書面やメール等の通信手段によって通知される。
【００４７】
次に、新郎新婦の操作手順を説明する。新郎新婦は、インターネットへの接続が行える利用者端末４０のコンピュータ画面上でインターネットブラウザを開き、利用登録管理者から通知されたＵＲＬを入力して接続初期画面を表示させる。新郎新婦は、この接続画面上で、アクセス用ログインＩＤとパスワードの入力が要求されるので、利用登録管理者より通知されたログインＩＤとパスワードを入力して、システムへのログインをして利用者の認証を実行する。当該新郎新婦であることが認証されると、利用者端末４０のコンピュータ画面上に、新郎新婦専用画面４１が表示される。
【００４８】
新郎新婦専用画面４１には、式場紹介，新郎新婦プロフィール，ブログ，画像一覧，動画一覧，Ｌｉｖｅ情報の記載事項テンプレートが表示される。新郎新婦は、これらの記載事項テンプレートに各種情報を入力し、記載事項テンプレートに入力された情報１１２（図示省略）をサーバ装置２０に送信する。送信された情報１１２は、サーバ装置２０に登録される。
【００４９】
ここで、ブログ，画像一覧，動画一覧の記載事項テンプレートは、結婚式・披露宴出席予定者や結婚式・披露宴に出席しない知人等のゲストと共有して記載することができるが、新郎新婦は、その内容を事前にチェックすることができ、不適切な場合は削除することができる。
【００５０】
次に、結婚式・披露宴出席予定者や結婚式・披露宴に出席しない知人等のゲストの操作手順を説明する。結婚式・披露宴に出席しない知人等のゲストは、インターネットへの接続が行える利用者端末５０のコンピュータ画面上でインターネットブラウザを開き、新郎新婦から招待状等により通知されたＵＲＬを入力して接続初期画面を表示させる。結婚式・披露宴に出席しない知人等のゲストは、この接続画面上で、アクセス用ログインＩＤとパスワードの入力が要求されるので、新郎新婦より通知されたログインＩＤとパスワードを入力して、システムへのログインをして利用者の認証を実行する。当該ゲストであることが認証されると、利用者端末４０のコンピュータ画面上に、結婚式・披露宴出席予定者や結婚式・披露宴に出席しない知人等のゲスト専用画面５１が表示される。
【００５１】
結婚式・披露宴出席予定者や結婚式・披露宴に出席しない知人等のゲスト専用画面５１には、ブログ，画像一覧，動画一覧，Ｌｉｖｅ情報の記載事項テンプレートが表示される。結婚式・披露宴に出席しない知人等のゲストは、これらの記載事項テンプレートに各種情報を入力し、サーバ装置２０に送信する。送信された情報１１２は、サーバ装置２０に仮登録される。仮登録された内容は、新郎新婦の承認後に登録される。
【００５２】
続いて、二次会幹事の操作手順を説明する。二次会幹事は、インターネット等のネットワークへ接続が行える利用者端末６０のコンピュータ画面上でインターネットブラウザを開き、新郎新婦から招待状等により通知されたＵＲＬを入力して接続初期画面を表示させる。二次会幹事は、この接続画面上で、アクセス用ログインＩＤとパスワードの入力が要求されるので、新郎新婦より通知されたログインＩＤとパスワードを入力して、システムへのログインをして利用者の認証を実行する。当該二次会幹事であることが認証されると、利用者端末４０のコンピュータ画面上に、二次会幹事専用画面６１が表示される。
【００５３】
二次会幹事専用画面６１には、二次会の会場案内の記載事項テンプレート，二次会出席者及び欠席者情報と二次会出欠の集計情報の記載事項テンプレートが表示される。二次会幹事は、これらの記載事項テンプレートに各種情報を入力し、サーバ装置２０に送信する。送信された情報１１２は、サーバ装置２０に登録される。
【００５４】
次に、ライブ配信システム７０の動作について説明する。先ず、新郎新婦は、利用者端末４０のコンピュータ画面上に新郎新婦専用画面４１を表示し、式当日までに、Ｌｉｖｅ設定の記載事項テンプレートに、動画共有サービス（例えばＵＳＴＲＥＡＭ、ユーストリーム，インコーポレイテッド社の登録商標）のタグの入力を行い、Ｌｉｖｅ設定を行う。
【００５５】
次に、新郎新婦から依頼を受け、結婚式・披露宴に出席したゲストは、式当日、新郎新婦との賃貸借契約に基づき、管理会社から貸与されたカメラ装置７１０，配信機７１１及びＨＤＭＩケーブル７１２を使用して、式場内を撮影する。なお、カメラ装置７１０は、結婚式・披露宴に出席したゲストの所有するビデオカメラ等であってもよい。また、撮影者は結婚式・披露宴に出席したゲストに限定されず、プロのカメラマンであってもよい。
【００５６】
結婚式・披露宴に出席したゲストによって撮影された映像は、ＨＤＭＩケーブル７１２で接続された配信機７１１を介してサーバ装置２０に送信され、一時的に保存される。カメラ装置７１０，配信機７１１，サーバ装置２０は常に同期されているため、サーバ装置２０には、常に最新の情報が保存される。
【００５７】
式に出席できなかったゲストは、式場外において、利用者端末５０のコンピュータ画面上で、インターネットブラウザを開き、新郎新婦から招待状等により通知されたＵＲＬを入力して接続初期画面を表示させ、ログインし、結婚式・披露宴出席予定者や結婚式・披露宴に出席しない知人等のゲスト専用画面５１のＬｉｖｅテンプレートを選択し、前記映像を閲覧する。
【００５８】
したがって、カメラ装置７１０と、配信器７１１と、ＨＤＭＩケーブル７１２とを式に出席しているゲストに貸し出すことで、式に出席できなかったゲストに対し、ライブ配信サービスを提供することができる。
【００５９】
以上のように、結婚式サービスシステム１によれば、利用者端末４０乃至利用者端末６０は、サーバ装置２０から利用者端末ごとに設けられたテンプレートを受信し、当該テンプレートへの情報の入力及び閲覧ができるため、結婚式当日又はその前後一定期間において、細かな情報の交換や、新郎新婦，新郎新婦の友人及び知人同士がウェブサイト上での交流を図ることができ、新郎新婦，結婚式・披露宴出席予定者及び二次会幹事等のそれぞれが主体となって、双方向に情報を発信することができる。
【００６０】
また、結婚式サービスシステム１によれば、利用者端末４０にチェック機能を設けたことにより、新郎新婦は、利用者端末５０から送信されるウェブページの記載事項のうち、画像，動画及びブログ記事について、内容を事前に確認でき、公開するのに適しているもののみを表示できる。
【００６１】
また、結婚式サービスシステム１によれば、ライブ配信システム７０は、カメラ装置７１０と配信機７１１を接続するだけで、容易に映像データをリアルタイムでストリーミング配信できるシステムであり、撮影された映像は、結婚式・披露宴に出席できなかった知人等のゲストが、式場外において、利用者端末５０からサーバ装置２０にアクセスすることで閲覧できる。
【００６２】
また、結婚式サービスシステム１によれば、利用者端末５０は、画像又は／及び動画処理アプリケーション８０を備えており、結婚式・披露宴出席予定者や結婚式・披露宴に出席しない知人等のゲストは、画像又は／及び動画に、自由に加工処理を施すことができ、オリジナルの画像又は／及び動画を作成することができる。
【００６３】
さらに、結婚式サービスシステム１によれば、管理会社は、新郎新婦の要望に応じて、ウェブサイト上のブログ，画像，動画等の内容を画像等の加工を行う提携会社に提供し、ＣＤ−Ｒ等の記録媒体，本，アルバム等に編集した上で、希望者に配布するという配布サービスを行うことができる。
【００６４】
なお、本発明は前述した実施の形態のみに限定されるものではなく、本発明の要旨を逸脱しない範囲において種々の変更が可能であることは勿論である。
【符号の説明】
【００６５】
１        結婚式サービスシステム
２０      サーバ装置
３０      利用登録管理者端末
４０      第１の利用者端末
４１      新郎新婦専用画面
５０      第２の利用者端末
５１      結婚式・披露宴出席予定者や結婚式・披露宴に出席しない知人等のゲスト専用画面
６０      第３の利用者端末
６１      二次会幹事専用画面
７０      ライブ配信システム
８０      画像又は／及び動画処理アプリケーション
１００    第１登録手段
１０１    第２登録手段
１０２    第１利用者照合手段
１０３    第１情報送受信手段
１０４    第１受信手段
１０５    第１情報入力手段
１０６    第２情報送信手段
１０７    第１情報表示手段
１０８    第２受信手段
１０９    第２情報入力手段
１１０    第３情報送信手段
１１１    利用者認証情報
２１０，３１０，４１０，５１０，６１０  ＣＰＵ
２１１，３１１，４１１，５１１，６１１  ＲＯＭ
２１２，３１２，４１２，５１２，６１２  ＲＡＭ
２１３，３１３，４１３，５１３，６１３  入力装置
２１４，３１４，４１４，５１４，６１４  表示装置
２１５，３１５，４１５，５１５，６１５  記憶装置
２１６，３１６，４１６，５１６，６１６  バス
２１８，３１８，４１８，５１８，６１８  通信制御装置
７１０    カメラ装置
７１１    配信機
７１２    ＨＤＭＩケーブル
【図１】
2014010525.tif 000003
【図２】
2014010525.tif 000004
【図３】
2014010525.tif 000005
【図４】
2014010525.tif 000006
【図６】
2014010525.tif 000007
【図８】
2014010525.tif 000008
【図１０】
2014010525.tif 000009
【図１１】
2014010525.tif 000010
【図５】
2014010525.tif 000011
【図７】
2014010525.tif 000012
【図９】
2014010525.tif 000013